(57)【要約】      （修正有）【課題】従来の水槽容器内に通路管を設置した観賞魚用水槽では、通路管内部に満たされた水の重さを脚部で支えることにより、この脚部にかかる重さが水槽容器底部の一部を圧迫し破損する場合もある。また、通路管内部に空気が入り、通路管内部の水が流れ出すと、流れ出した水が水槽容器内を満たした後に溢れ出すことがある。【解決手段】観賞魚用水槽５に浮体付水槽１を入れて、水が満たされた浮体付水槽１の開口部を下向きにし、水面近くまで引き上げる。この時、浮体により浮体付水槽１の一部が水面より上に突き出た状態が維持されるように浮体を浮体付水槽１に設置しておくことで、水面より突き出て水に満たされた浮体付水槽内部を観賞魚が泳ぐところを見ることができる。また、浮体付水槽内に空気が入り、水が流れ出すと、浮体部が浮体付水槽１を水面より浮上させて、観賞魚用水槽５の水位を下げ、観賞魚用水槽５から水が溢れ出ないようにする。【選択図】図２
2013150601.tif 000002
【特許請求の範囲】
【請求項１】
水が満たされた浮体付水槽の開口部を観賞用水槽の水面以下に設置し、浮体により浮体付水槽の一部が観賞用水槽の水面より上に維持されるように浮体を浮体付水槽に設置した浮体付水槽及び観賞用水槽。
【請求項２】
浮体付水槽から水が流出しても、流れ出した水量分だけ浮体付水槽が軽くなり、浮体付水槽が浮上し、観賞用水槽の水位を下げ、観賞用水槽から水が溢れ出ないようにした浮体付水槽及び観賞用水槽。
【請求項３】
浮体付水槽の開口部を下向きにして、観賞用水槽の水面に設置し、浮体付水槽内部から空気を排出するポンプのホース先端が水に浮くようにホースの先端に浮体を取付けたポンプ。
【請求項４】
請求項１の浮体付水槽に設置した支持棒を観賞魚用水槽の底部にあてて、観賞魚用水槽に浮かぶ浮体付水槽を安定させる浮体付水槽。
【請求項５】
請求項１の浮体付水槽の浮体水槽部と浮体部の各々の揺れを浮体水槽部と浮体部の接合部で放出するようにした浮体付水槽。
【発明の詳細な説明】
【技術分野】
【０００１】
水槽容器内部の水面に水槽を逆さに立てた観賞用水槽装置である。
【背景技術】
【０００２】
透明な容器と、透明な通路管とを有しており、容器は内部に水および観賞魚を収容するための開口を有している観賞魚用水槽がある。通路管は、観賞魚が通行可能な内径を有し、一部が容器の開口より高い位置に配置され、両端が開口より低い位置で容器の内部と連通するよう容器に接続されている。この従来の観賞魚用水槽によれば、容器の開口より高い位置に配置された通路管の一部に水が満たされたままなのを見、さらに、観賞魚が通路管の内部を通るのを見て、意外性を楽しむことができる。
【先行技術文献】
【特許文献】
【０００３】
【特許文献１】特許公開２００４−６５１３４
【発明の概要】
【発明が解決しようとする課題】
【０００４】
従来の水槽容器内に通路管を設置した観賞魚用水槽では、通路管内部に満たされた水の重さを脚部で支えることにより、この脚部にかかる重さが水槽容器底部の一部を圧迫し破損する場合もある。また、通路管内部に空気が入り、通路管内部の水が流れ出すと、流れ出した水が水槽容器内を満たした後に溢れ出すことがある。
【課題を解決するための手段】
【０００５】
観賞魚用水槽の開口部より水槽容器に浮体を設置した浮体付水槽の開口部を観賞魚用水槽内に入れて、観賞魚用水槽内の水が浮体付水槽内を満たすまで水中に入れる。満水になった浮体付水槽の開口部を下向きにし、浮体付水槽の開口部を観賞魚用水槽の水面近くまで引き上げる。この時、浮体により浮体付水槽の一部が観賞魚用水槽の水面より上に突き出た状態が維持されるように浮体を浮体付水槽に設置しておくことで、水面より突き出て、満水の浮体付水槽内部を観賞魚が泳ぐところを見ることができる。また、浮体付水槽内に空気が入り、浮体付水槽内部から水が流れ出すと、流れ出した水量分だけ浮体付水槽が軽くなり、浮体が浮体付水槽を水面より浮上させるとともに、浮上した浮体の容積分が観賞魚用水槽の水位を下げるので、浮体付水槽内部から水が流れ出しても、観賞魚用水槽から水が溢れ出ない。
【発明の効果】
【０００６】
観賞魚用水槽の一部に圧力がかかり、観賞魚用水槽が破損しないようにする。また、浮体付水槽内の水が流れ出しても、観賞魚用水槽から水が溢れ出ないようにする。
【図面の簡単な説明】
【０００７】
【図１】浮体付水槽概念図
【０００８】
【図２】観賞魚用水槽に浮体付水槽を浮かべた概念図
【０００９】
【図３】手動ポンプを設置した浮体付水槽を観賞魚用水槽に浮かべた概念図
【００１０】
【図４】浮体付水槽に吸盤と支持棒を設置した概念図
【００１１】
【図５】浮体付水槽の浮体水槽部と浮体部を接合手で繋げる概念図
【発明を実施するための形態】
【実施例】
【００１２】
図１に示す、下方が開口している浮体付水槽開口部４がある透明な浮体付水槽１は半球状の上部と円柱形の下部からなる浮体水槽部２と浮体水槽部２を囲むように中空部を密閉し、浮力を生じさせる浮体部３からなる。
【００１３】
図２に示す水の入った透明な観賞魚用水槽５の上方開口部より小さい浮体付水槽１の浮体付水槽開口部４を垂直に観賞魚用水槽５内に入れて、観賞魚用水槽５内の水で浮体付水槽１内を満水にする。満水になった浮体付水槽１の浮体付水槽開口部４を下向きにし、浮体付水槽開口部４を観賞魚用水槽５の水面近くまで引き上げる。この時、浮体部３により浮体水槽部２の一部が観賞魚用水槽５の水面より上に突き出た状態が維持されるように浮体部３を浮体付水槽１に設置し、浮体付水槽部２がより高い位置になるように観賞魚用水槽５が満水になるまで水を加える。このようにして、水面より突き出た満水状態の浮体付水槽部２内を観賞魚が泳ぐところを見る。
【００１４】
図２に示す浮体付水槽１の浮体水槽部２内に空気が入り、浮体付水槽部２から水が流れ出すと、流れ出した水量分だけ浮体付水槽１が軽くなり、浮体部３が水面より浮上することで浮体付水槽１が浮上し、観賞魚用水槽５の水位を下げ、浮体付水槽１の浮体水槽部２から水が流れ出しても、観賞魚用水槽５から水が溢れ出ない。
【００１５】
図３に示す先端部に水に浮く浮体が付いた浮体付ホース７は満水の観賞魚用水槽５に浮体付水槽開口部４が水面に接するように浮いている浮体付水槽１の浮体付水槽開口部４から浮体水槽部２内に入り、浮体付ホース７の他方先端に設置した手動ポンプ６を可動させることで、浮体水槽部２内から空気を排出する。これにより、浮体水槽部２内に観賞魚用水槽５の水が流入し、浮体水槽部２内の水位が上昇すると浮体付ホース７の先端部も水に浮いて上昇し空気を排出し続け、浮体水槽部２内が満水状態となる。このとき、浮体付水槽１は浮体水槽部２内に流入した水の重量で沈むが、浮体水槽部２が全て水没しない浮力を浮体部３の容積として設けているので、観賞魚用水槽５の水が減少し、水位が低下しても、浮体水槽部２内に流入した水の重量分は浮体部３の容積が水没し、水位を上昇させるので、観賞魚用水槽５の水位は満水状態を維持する。
【００１６】
図４に示す吸盤８と支持棒９は浮体付水槽１側面に吸盤８が吸着し、吸盤８を貫通して支持棒９が設置されている。これにより図２のように観賞魚用水槽５に設置された浮体付水槽１が水中で不安定になった場合でも支持棒９が観賞魚用水槽５の底にあたって支えるので安定する。この場合の支える力は、浮体水槽部２が浮体部３の浮力により浮体水槽部２内の水分重量より軽い力で支えることが可能であり、観賞魚用水槽５底部を破損することはない。また、支持棒９はゴム製吸盤８を圧着しながら貫通しているので、支持棒９を押したり引いたりすることで浮体付水槽１から下方向への支持棒９の長さを伸縮できる。
【００１７】
図５に示す浮体付水槽１３の浮体水槽部２と浮体部３の接合部は柔軟性のあるプラスチック製浮体部接合手１１と柔軟性のあるプラスチック製浮体水槽部接合手１０が螺子である接合手係留具１２で螺子留めされているので、水中での浮体水槽部２と浮体部３の各々の揺れが接合部で、ある程度放出される。これにより、図２の観賞魚用水槽５内の浮体付水槽１に代えて浮体付水槽１３を浮かべても安定して浮いている。また、プラスチックに螺子留めされているので、螺子留め部分を中心とした円周上に浮体部３を動かして、浮体付水槽１３が水面で浮く場合のバランス調節ができる。
【産業上の利用可能性】
【００１８】
観賞魚及びその他の水中浮遊物を段差のある水面で観賞できるようにする。
【符号の説明】
【００１９】
１・・・浮体付水槽
２・・・浮体水槽部
３・・・浮体部
４・・・浮体付水槽開口部
５・・・観賞魚用水槽
６・・・手動ポンプ
７・・・浮体付ホース
８・・・吸盤
９・・・支持棒
１０・・浮体水槽部接合手
１１・・浮体部接合手
１２・・接合手係留具
１３・・浮体付水槽
【図４】
2013150601.tif 000003
【図５】
2013150601.tif 000004
【図１】
2013150601.tif 000005
【図２】
2013150601.tif 000006
【図３】
2013150601.tif 000007